(57)【要約】【課題】ヘアドライヤなどのヘアケア機器を提供する。【解決手段】外壁を有するハウジングと、外壁内に配置された内部構造と、外壁を横切って広がる端壁とを備えた手持型機器を開示し、端壁は、内部構造を介してハウジングに取り付けられ、端壁は、外壁から離れて延びる。ハンドルは長手方向軸を有し、外壁は、この長手方向軸に沿って延びることができる。端壁は、外壁から離れて延びるにつれ、外壁から長手方向軸に向かって延びることができる。端壁は、外壁から離れて延びるにつれ先細になることができる。端壁は、截頭円錐形とすることができる。端壁は、少なくとも１つの第１の取り付け部材を含み、この少なくとも１つの第１の取り付け部材は、端壁から延びて内部構造の１又はそれ以上の協働する取り付け部材に係合することができる。【選択図】図２
2019055295.tif 000002
【特許請求の範囲】
【請求項１】
外壁を有するハウジングと、前記外壁内に配置された内部構造と、前記外壁を横切って延びる端壁とを備えた手持型機器であって、前記端壁は、前記内部構造を介して前記ハウジングに取り付けられ、前記端壁は、前記機器内への流体入口の少なくとも一部を形成する、
ことを特徴とする手持型機器。
【請求項２】
前記端壁は、少なくとも部分的に前記端壁の周囲に延びる複数の開口部を含む、
請求項１に記載の機器。
【請求項３】
前記端壁は、該端壁を前記内部構造に取り付けるために前記内部構造に対して回転する、
請求項１又は２に記載の機器。
【請求項４】
前記端壁は、前記外壁から離れて延びる、
請求項１から３のいずれかに記載の機器。
【請求項５】
前記ハウジングは長手方向軸を有し、前記外壁は、該長手方向軸に沿って延びる、
請求項１から４のいずれかに記載の機器。
【請求項６】
前記端壁は、前記外壁から離れて前記長手方向軸に向かって延びる、
請求項５に記載の機器。
【請求項７】
前記端壁は、前記外壁から離れて延びるにつれ、前記外壁から前記長手方向軸に向かって延びる、
請求項５又は６に記載の機器。
【請求項８】
前記端壁は、前記外壁から離れて延びるにつれ先細になる、
請求項１から７のいずれかに記載の機器。
【請求項９】
前記端壁の形状は、截頭円錐形である、
請求項８に記載の機器。
【請求項１０】
前記端壁は、前記内部構造に係合する第１の部品、及び該第１の部品によって前記外壁に対して保持される第２の部品という２つの部品によって形成される、
請求項１から９のいずれかに記載の機器。
【請求項１１】
前記第１の部品は、前記第２の部品に対して回転自在である、
請求項１０に記載の機器。
【請求項１２】
前記第１の部品は、前記端壁を前記ハウジングに係合させるように前記内部構造に対して回転自在である、
請求項１０又は１１に記載の機器。
【請求項１３】
前記ハウジングは、長円形断面を有する、
請求項１０から１２のいずれかに記載の機器。
【請求項１４】
前記端壁は、第１の取り付け部材を含み、該第１の取り付け部材は、前記端壁から延びて前記内部構造の協働する取り付け部材に係合する、
請求項１から１３のいずれかに記載の機器。
【請求項１５】
前記第１の取り付け部材及び協働する部材の一方は溝を有し、前記端壁を前記機器の前記内部構造に取り付けた時に、前記第１の取り付け部材及び前記協働する部材の他方の協働する突起が前記溝に入り込む、
請求項１４に記載の機器。
【請求項１６】
前記溝は螺旋形である、
請求項１５に記載の機器。
【請求項１７】
前記端壁は、該端壁を前記内部構造に取り付けるために前記ハンドルの方に押される、請求項１から１６のいずれかに記載の機器。
【請求項１８】
前記端壁は外縁部を有し、前記端壁を前記内部構造に取り付けた時に、前記外縁部が前記外壁に隣接又は当接する、
請求項１から１７のいずれかに記載の機器。
【請求項１９】
前記端壁は、該端壁を取り付けた時に前記外壁の内側に延びるリップ部を有する、
請求項１から１８のいずれかに記載の機器。
【請求項２０】
前記外縁部は、前記外壁の端面のための嵌合面を形成する、
請求項１８又は１９に記載の機器。
【請求項２１】
前記端壁の前記外縁部は、前記ハンドルの前記端壁を横切って延び、従って前記端壁が前記外壁に交わった場合、前記ハンドルの外径は前記端壁の外径と実質的に同じである、請求項１から２０のいずれかに記載の機器。
【請求項２２】
前記ハウジングは、ハンドルである、
請求項１から２１のいずれかに記載の機器。
【請求項２３】
前記機器は、ヘアケア機器である、
請求項１から２２に記載の機器。
【請求項２４】
前記ヘアケア機器は、ヘアドライヤである、
請求項２３に記載の機器。
【請求項２５】
前記ヘアケア機器は、温風整髪機器である、
請求項２３に記載の機器。
【発明の詳細な説明】
【技術分野】
【０００１】
本発明は、手持型機器に関し、特にヘアドライヤなどのヘアケア機器に関する。
【背景技術】
【０００２】
一般的には、本体に流体を吸い込むモータ及びファンが設けられ、流体を本体から排出する前に加熱することができる。モータは、ほこり又は毛髪などの異物によって損傷を受け易く、従って通常はブロワへの流体入口にフィルタが設けられる。ファン及びヒータは、機能するために電力を必要とし、この電力は、商用電源ケーブル又は機器に取り付けられたバッテリのいずれかから内部配線を介して供給される。
【発明の概要】
【課題を解決するための手段】
【０００３】
第１の態様によれば、本発明は、外壁を有するハウジングと、外壁内に配置された内部構造と、外壁を横切って広がる端壁とを備えた手持型機器を提供し、端壁は、内部構造を介してハウジングに取り付けられる。
【０００４】
端壁は、外壁から離れて延びることが好ましい。
【０００５】
ハウジングは長手方向軸を有し、外壁は、この長手方向軸に沿って延びることが好ましい。端壁は、長手方向軸に沿って延びることが好ましい。端壁は、外壁から離れて長手方向軸の方に延び、端壁が外壁から離れて延びるにつれ、外壁から長手方向軸に向かって延びることが好ましい。
【０００６】
内部構造は、外壁内に収容されて外壁から離間していることが好ましい。内部構造は、端壁を介して外壁に機械的に接続されることが好ましい。
【０００７】
端壁は、外壁から離れて延びるにつれ先細になる（テーパしている）ことが好ましい。端壁は、截頭円錐形であることが好ましい。
【０００８】
端壁は、内部構造に係合する第１の部品、及び第１の部品によって外壁に接触して保持される第２の部品という２つの部品によって形成されることが好ましい。第１の部品は、第２の部品に対して回転自在であることが好ましい。第１の部品は、端壁をハウジングに係合させるように内部構造に対して回転自在であることが好ましい。ハウジングは、長円形断面を有することが好ましい。
【０００９】
端壁は、第１の取り付け部材を含み、第１の取り付け部材は、端壁から延びて内部構造の協働する取り付け部材に係合することが好ましい。
【００１０】
第１の取り付け部材及び協働する部材の一方は溝を有し、端壁を機器の内部構造に取り付けた時に、第１の取り付け部材及び協働する部材の他方の協働する突起が溝に入り込むことが好ましい。
【００１１】
端壁は、内部構造に取り付けられるために、内部構造に対して旋回又は回転することが好ましい。この実施形態では、溝及び突起が螺旋形であることが好ましい。従って、端壁を適所に捩り込むと、端壁がハンドルの外壁に向かって移動する。
【００１２】
或いは、端壁は、内部構造に取り付けられるためにハンドルの方に押される。
【００１３】
好ましい実施形態では、端壁が開口部を含む。開口部は、端壁の中心を貫くことが好ましい。
【００１４】
開口部は、好ましくは端壁の内部に延びる内壁によって定められることが好ましい。
【００１５】
開口部を通じて、機器に電力を供給するための電力ケーブルが、保持ハウジング内に延びることが好ましい。湾曲した又は円錐形の内壁を有することにより、電力ケーブルに過度の応力をもたらさずにケーブルを機器に対して移動させることができる。
【００１６】
第１の取り付け部材は突起を有し、協働する部材は凹部を有し、端壁を内部構造に取り付けると、突起が凹部内に突出することが好ましい。好ましい実施形態では、第１の取り付け部材が、一対の突起を有する。
【００１７】
一対の突起の一方は、一方の凹部内に突出し、一対の突起の他方は、他方の凹部内に突出することが好ましい。
【００１８】
内部構造は、内部構造から半径方向外向きに延びるリブを有することが好ましい。リブは、凹部を含むことが好ましい。
【００１９】
好ましい実施形態では、端壁が、フィルタユニットの一部を形成し、フィルタユニットは、メッシュフィルタをさらに含み、端壁から延びるフィルタフレームがメッシュフィルタの周囲を取り囲む。
【００２０】
端壁は、内部構造の周囲で連続していないことが好ましい。
【００２１】
第２の態様によれば、本発明は、外壁を有するハウジングと、外壁内に配置された内部構造と、フィルタユニットとを備えた手持型機器を提供し、フィルタユニットは、外壁を横切って延びる端壁と、端壁から延びるメッシュフィルタと、メッシュフィルタの周囲を取り囲むフィルタフレームとを有し、端壁は、内部構造を介してハウジングに取り付けられる。
【００２２】
内部構造は、傾斜面を有する一対の取り付け機構を含むことが好ましい。
【００２３】
傾斜面は、内部構造から半径方向外向きに内部構造の少なくとも一部に沿って延びるリブの両側に１つずつ存在し、リブに向かって端壁から離れて延びる方向に傾斜する。
【００２４】
端壁は、傾斜面を有する一対の取り付け機構を有し、端壁の傾斜面は、内部構造の傾斜面と逆向きに傾斜していることが好ましい。
【００２５】
端壁、メッシュフィルタ及びフィルタフレームは、内部構造の周囲で連続していないことが好ましい。
【００２６】
内部構造は、内部構造から半径方向外向きに内部構造の少なくとも一部に沿って延びるリブを有することが好ましい。
【００２７】
フィルタフレームは、端壁を内部構造に取り付けた時にリブのいずれかの側に当接することが好ましい。
【００２８】
リブは、リブの一部に沿って延びる凹部を含むことが好ましい。
【００２９】
フィルタフレームは、一対の突起を有し、端壁を内部構造に取り付けた時に、突起が凹部内に突出することが好ましい。
【００３０】
フィルタユニットをハウジングに挿入すると、フィルタフレームが取り付け機構によってリブの方に押されることが好ましい。
【００３１】
端壁は、内部構造に取り付けられるためにハンドルの方に押されることが好ましい。
【００３２】
端壁は外側縁を有し、端壁を内部構造に取り付けた時に、外縁部が外壁に隣接又は当接することが好ましい。
【００３３】
端壁は、端壁を取り付けた時に外壁の内側に広がるリップ部を有することが好ましい。
【００３４】
好ましい実施形態では、機器に端壁を取り付けた時に、リップ部が外壁の内側に広がることが好ましい。
【００３５】
外縁部は、外壁の端面のための嵌合面を形成することが好ましい。端壁の外縁部は、ハンドルの端壁を横切って広がり、従って端壁が外壁に交わった場合、ハンドルの外径は端壁の外径と実質的に同じであることが好ましい。
【００３６】
ハウジングは、ハンドルであることが好ましい。
【００３７】
機器は、ヘアケア機器であることが好ましい。
【００３８】
ヘアケア機器は、ヘアドライヤであることが好ましい。或いは、ヘアケア機器は、温風整髪機器である。
【００３９】
以下、添付図面を参照しながら本発明を単なる一例として説明する。
【図面の簡単な説明】
【００４０】
【図１】本発明によるヘアドライヤを示す図である。
【図２】図１のヘアドライヤの断面図である。
【図３ａ】図１のヘアドライヤの別の断面図である。
【図３ｂ】図３ａの入口領域の拡大断面図である。
【図４】図２に示すヘアドライヤの内部構造の等角図である。
【図５ａ】図２に示すフィルタユニットの等角図である。
【図５ｂ】図５ａに示すフィルタユニットの一部の等角図である。
【図６】本発明による整髪機器を示す図である。
【図７】図６の機器の断面図である。
【図８】図７の入口領域の拡大断面図である。
【図９】図７に示す端壁の内部等角図である。
【図１０】図７に示すハンドルの内部等角図である。
【図１１】機器の別の入口を示す図である。
【図１２】図１１に示すハンドルの内部等角図である。
【図１３】図１１に示す端壁の内部等角図である。
【発明を実施するための形態】
【００４１】
図１、図２、図３ａ及び図３ｂに、ハンドル２０及び本体３０を備えたヘアドライヤ１０を示す。ハンドルは、本体３０に接続された第１の端部２２と、本体３０から遠位側に存在する、一次流体入口４０を含む第２の端部２４とを有する。ヘアドライヤ１０には、ケーブル５０を介して電力が供給される。ケーブル５０のヘアドライヤ１０からの遠位端にはプラグ（図示せず）が備わり、このプラグは、例えば主電源又はバッテリパックへの電気的接続部を提供する。
【００４２】
ハンドル２０は、本体３０からハンドルの遠位端２４に延びる外壁２００を有する。ハンドルの遠位端２４では、外壁２００を横切って端壁２１０が延びる。ケーブル５０は、この端壁２１０からヘアドライヤに入り込む。ハンドル２０の一次流体入口４０は、ハンドルの外壁２００に沿ってその周囲に広がる第１の開口部４２と、ハンドル２０の端壁２１０を貫いてその全体に広がる第２の開口部４６とを含む。ケーブル５０は、端壁２１０のほぼ中央に存在し、従ってハンドル２０の中心から延びる。ハンドル２０は長手方向軸Ｘ−Ｘを有し、外壁２００は、この軸に沿って本体３０から遠位端２４に向かって延びる。開口部４２、４６は、直径が約２ｍｍである。
【００４３】
ケーブル５０は、ユーザの手の中のハンドル２０の向きに関わらずにヘアドライヤの平衡が保たれるという理由で、ハンドル２０の中心から延びることが好ましい。また、ユーザがハンドル２０上で手の位置を動かした場合でも、手を動かしたときの手に対するケーブル５０の位置が変化しないので、ケーブル５０から引っ張られることがない。仮にケーブルの中心をずらしてハンドルの片側に近付けた場合、ヘアドライヤの重量分布が方向と共に変化し、ユーザの気が散ってしまう。
【００４４】
ケーブル５０は、ケーブル５０をハンドル２０内に保持する内部構造５００に係合する。外壁２００と内部構造５００との間には濾過材が設けられる。この濾過材は、流体入口４０から入り込んだ流体を濾過する。
【００４５】
一次流体入口４０の上流には、ファンユニット７０が設けられる。ファンユニット７０は、ファン及びモータを含む。ファンユニット７０は、一次流体入口４０から本体３０内に延びる一次流体流路４００を通じて、一次流体入口４０から本体３０に向けて流体を吸い込み、ハンドル２０と本体３０は９０において接合される（合流する）。本体３０は、第１の端部３２及び第２の端部３４を有し、一次流体流路４００は、本体３０内を本体の第２の端部３４に向かい、ヒータ８０の周囲を通って一次流体出口４４０まで続き、ファンユニットによって吸い込まれた流体は、ここで一次流体流路４００から出る。一次流体流路４００は直線ではなく、ハンドル２０内では第１の方向に進み、本体３０内では第１の方向と直交する第２の方向に進む。
【００４６】
本体３０は、外壁３６０及び内側ダクト３１０を含む。一次流体流路４００は、ハンドル２０と本体３０の接合部９０から本体に沿って、外壁３６０と内側ダクト３１０の間を本体３０の第２の端部３４における一次流体出口４４０に向かって延びる。
【００４７】
本体内には別の流体流路も設けられ、この流れはファンユニット又はヒータによって直接処理されず、ヘアドライヤ内の一次流を生成するファンユニットの作用によってヘアドライヤに吸い込まれる。この流体流は、一次流体流路４００内を流れる流体によってヘアドライヤ内に取り込まれる。
【００４８】
本体の第１の端部３２は、流体入口３２０を含み、本体の第２の端部３４は、流体出口３４０を含む。流体入口３２０及び流体出口３４０は、本体内を本体に沿って延びる、本体３０の内壁である内側ダクト３１０によって少なくとも部分的に定められる。流体流路３００は、流体入口３２０から流体出口３４０まで内側ダクト３１０内を延びる。本体３０の第１の端部３２では、外壁３６０と内側ダクト３１０との間に側壁３５０が延びる。この側壁３５０は、少なくとも部分的に流体入口３２０を定める。一次流体出口４４０は環状であり、流体流路を取り囲む。
【００４９】
本体３０内の側壁３５０及び流体入口３２０の近くには、ヘアドライヤの制御電子回路を含むＰＣＢ７５が存在する。ＰＣＢ７５はリング状であり、内側ダクト３１０の周囲の、内側ダクト３１０と外壁３６０の間に延びる。ＰＣＢ７５は、一次流体流路４００と流体連通する。ＰＣＢ７５は、流体流路３００の周囲に延び、内側ダクト３１０によって流体流路３００から分離される。
【００５０】
ＰＣＢ７５は、ヒータ８０の温度及びファンユニット７０の回転速度などのパラメータを制御する。ＰＣＢ７５は、内部配線（図示せず）によってヒータ８０、ファンユニット７０及びケーブル５０に電気的に接続される。ＰＣＢ７５には、例えばユーザが様々な温度設定及び流速から選択を行えるように設けられた制御ボタン６２、６４が設けられ、接続される。
【００５１】
使用時には、ファンユニット７０の作用によって流体が一次流体流路４００内に吸い込まれ、任意にヒータ８０によって加熱されて一次流体出口４４０から排出される。この処理流により、流体入口３２０において流体が流体流路３００内に取り込まれる（同伴される）ようになる。この流体は、本体の第２の端部３４において処理流と合流する。図３ａに示す例では、この処理流が、流体出口３４０を通じてヘアドライヤから排出される同伴された流れを取り囲む環状流として、一次流体出口４４０及びヘアドライヤから排出される。従って、ファンユニット及びヒータによって処理された流体は、同伴された流れによって増大する。
【００５２】
次に、特に図３ｂ及び図４を参照すると、内部構造５００が、ケーブル５０を収容する中心ハブ５２０と、中心ハブ５２０からヘアドライヤ１０のハンドル２０の内壁２２０の方にワイヤ５２６、５２８を配線する際に、これらのワイヤ５２６、５２８を収容する一対のアーム５２２、５２４とを有する。
【００５３】
内壁２２０は、中心ハブ５２０よりも大きな直径を有し、従ってワイヤ５２６、５２８及びアーム５２２、５２４は、中心ハブ５２０から内壁２２０に向かって半径方向外向きに延び、略「Ｙ」字形の装置５００を形成する。
【００５４】
この例では、内部構造５００が、各々が中心ハブ５２０の半分と、各２つのアーム５２２、５２４の半分とを形成する２つの部品５００ａ、５００ｂで形成される。従って、ケーブル５０を２つの部品５００ａ又は５００ｂの一方の中に配置した後、ワイヤ５２６、５２８を各アーム５２２、５２４の半分に対して配置し、内部構造５００の他の部品を取り付けてケーブル５０を中心ハブ５２０内に固定し、ワイヤ５２６、５２８をそれぞれのアーム５２２、５２４内に固定することができる。
【００５５】
ハンドル２０は、一方の端部２４に流体出口４０を有し、ケーブル５０はここを通過する。ケーブル５０は、ハンドル２０のほぼ中心に位置するので、内部構造５００の中心ハブ５２０もハンドル２０の中心又は中央に位置する。
【００５６】
この実施形態では、内部構造５００が構造機能をさらに有し、４つの半径方向に離間した支持ストラット１１２、１１４、１１６、１１８を有する。支持ストラット１１４、１１８の対は、アーム５２２、５２４から流体入口４０に向かって延び、残りの支持ストラット１１２、１１６の対は、中心ハブ５２０からハンドル２０の外壁２００に向かって延びる。しかしながら、ハンドル２０の外壁２００は、内壁２２０によって本体３０から内壁２２０の遠位端２２２まで支持される薄いスリーブであり、内壁２２０は流体入口４０まで及んで（延びて）いないので、外壁２００は、外壁２００に沿ってその周囲に広がる第１の一連の開口部４２の長手方向に沿って支持されていない。４つの支持ストラット１１２、１１４、１１６、１１８は、内部構造５００の中心ハブ５２０から半径方向外向きに延びて外壁２００に接触し、内壁２２０の遠位端２２２からハンドル２０の端部２４に向かって長手方向に延びる。
【００５７】
支持ストラット１１２、１１４、１１６、１１８は板状であり、支持ストラット内の材料の量を減少させて流体入口４０の第１の開口部４２の遮断を最小限に抑える丸みを帯びた端部１２８を有する。支持ストラット１１２、１１４、１１６、１１８は、流体入口４０及びその周囲におけるハンドル２０のフープ強度（ｈｏｏｐ  ｓｔｒｅｎｇｔｈ）を高め、従ってヘアドライヤ１０が落下した場合、これらの支持ストラットが、生じ得るあらゆるダメージを軽減する。支持ストラット１１２、１１４、１１６、１１８は、ケーブル５０がハンドル２０の方に曲げられた場合に、ハンドル２０をさらにダメージから保護する。
【００５８】
他方の支持ストラット１１２、１１６の対の一方は、フィルタユニットをハンドル２０内に保持するというさらなる機能を有する。
【００５９】
次に、特に図２、図３、図４、図５ａ及び図５ｂを参照して、端壁の実施形態について説明する。端壁２１０は、外壁２００の直径を横切って延び、外壁２００から離れて円錐形を形成する。この端壁２１０の円錐面を貫いて、ハンドル２０内への流体入口４０の一部を形成する開口部４６が設けられる。この実施形態では、端壁２１０の周囲に延びる一列の開口部４６が設けられている。
【００６０】
端壁２１０は、内壁２５０も含む。内壁２５０は、端壁２１０を貫く開口部２５２を定め、ここを通じてケーブル５０及びケーブル張力緩和部５２が延びる。端壁２１０は、ハンドルの外壁２００から長手方向軸Ｘ−Ｘに向かって延び、内壁２５０は、ハンドル２０の外壁２００及び長手方向軸Ｘ−ＸＢに向かって延びる。従って、端壁２１０は、漠然とした「Ｖ」字形の断面を有する。
【００６１】
端壁２１０には、複数の用途がある。端壁２１０は、ハンドル２０内への流体入口４０の一部を形成する。端壁２１０は、交換又は洗浄のために濾過材へのアクセスを可能にする。端壁２１０は、ケーブル及びケーブル張力緩和部５２がハンドル２０に入り込む開口部を密封して、開口部２５２を通じて流体がハンドル内に引き込まれるのを防ぐ。また、端壁２１０は、ハンドル２０の外壁２００の周囲に広がるメッシュフィルタ４８を開口部４２から離間させる。この結果、流体入口４０の開口部５２を取り囲む骨格構造によるメッシュフィルタ４８内の開口部の完全な遮断が防がれる。外壁２００とメッシュフィルタ４８との間の距離は１ｍｍ未満であり、約０．７８ｍｍであることが好ましい。
【００６２】
この実施形態では、端壁２１０と濾過材が、一体的なフィルタユニット４４として提供されている。特に図５ａ及び図５ｂを参照すると、フィルタユニット４４は、フィルタメッシュ４８と、フィルタメッシュ４８の支持及び保護を行うフレーム２１８と、端壁２１０とを含む。フィルタメッシュ４８は円筒形であり、ハンドル２０の内側に沿ってその周囲に延び、流体入口４０の第２段階の濾過を行うように設計される。明確にするためにフィルタメッシュ内の開口部は示していないが、これらの開口部の直径は、細塵を回収してファンユニット７０のモータ及びヒータへの通過を防ぐように数百ミクロンであることが好ましい。開口領域が２５〜３０％の場合には、２５０〜３５０ミクロンの穴直径が良好に機能することが判明している。従って、流体入口４０を通過する全ての流体はフィルタメッシュ４８を通過する。フィルタメッシュ４８は、その縁部周囲に延びるフレーム２１８によって支持される。
【００６３】
フィルタメッシュ４８を掃除する必要がある場合には、ハンドル２０から端壁２１０を引き離し、外壁２００の内側からフィルタメッシュ４８を取り外す。端壁２１０は、ユーザがハンドル２０の内側から端壁２１０及びフィルタユニット４４を除去するための引っ掛かりになるようにハンドル２０の端部からわずかに離間する。
【００６４】
フィルタユニット４４をケーブル５０から除去できるように、フィルタユニット４４は完全な円ではなく、その長さに沿って延びる間隙５４が形成される。フィルタメッシュ４８、フレーム２１８及び端壁２１０は、フィルタメッシュ４８の洗浄又はフィルタユニット４４の交換を可能にすべくケーブル５０の周囲で操作できるように可撓性を有する。
【００６５】
フィルタユニット４４は、ハンドル２０の外壁２００内に位置し、３つの位置決め機構によってこの位置に保持される。第１の位置決め機構５３０は、フレームに沿って長手方向に延び、フィルタユニット４４をハンドルの長手方向軸に対して位置付けるために使用される。第２及び第３の位置決め機構５３２及び５３４は、フィルタユニット４４を円周方向に保持するために使用される。
【００６６】
第１の位置決め機構５３０は、フレーム２１８及び支持ストラット１１６によって形成される。フィルタメッシュ４８に沿って長手方向に間隙５４を定めて延びるフレームの２つの縁部２２６、２２８は、間隙５４の全体で見ると真っ直ぐではなく平行でもない。２つの縁部２２６、２２８の各々は突起２３８を有し、これらの突起は、間隙５４の長さに沿って軸方向に位置合わせされる。支持ストラット１１６は、対応する窪み又は凹部１２０を有し、フィルタユニット４４がハンドル２０内に長手方向に正しく位置する時には、この凹部１２０内に２つの突起２３８が存在する。
【００６７】
２つの縁部２２６、２２８を支持ストラット１１６に対して固定し、フレーム２１８の周囲における流体の漏出、及びフィルタユニット４４のハンドル２０からの偶発的な除去を防ぐように、第２及び第３の位置決め機構が設けられる。これらの第２及び第３の位置決め機構は、２つの縁部２２６、２２８を支持ストラット１１６に向けて押すように適合される。
【００６８】
内部構造５００の中心ハブ５２０上には、傾斜面５３８を有する２つの突起２３６が設けられ、この傾斜面５３８は、ハンドル４０内の流れ方向において支持ストラット１１６の方に向けられる。従って、第２及び第３の位置決め機構は、支持ストラット１１６の長手方向軸に関して鏡像関係にある。
【００６９】
突起５３６の傾斜面５３８は、もう一方の傾斜面５４０の対と協働するが、これらの傾斜面は逆方向に傾斜しており、従ってハンドル４０内の流れ方向において支持ストラット１１６から離れる方向に向けられる。従って、フィルタユニット４４をハンドル２０に押し込むと、これらの２つの傾斜面の対５３８及び５４０が接触して互いに押し合い、フィルタユニット４４を円形にするとともに、第１の位置決め機構５３０を窪み１２０に押し込んで突起２３８を窪み内に保持する。
【００７０】
フィルタユニット４４をハンドル２０の外壁２００に挿入すると、内壁２５０が内部構造５００を密封して、流体が流体入口４０を通過せずに開口部２５２に入り込むのを防ぐ。
【００７１】
端壁２１０は、ハンドル２０の外壁２００を密封するために、外壁２００の端面２０２の周囲に延びる外側シート２２４と、外壁２００内で広がるように適合されたリップ部２２６とを含む。このリップ部２２６は、外壁２００の内面２００ａを密封するさらなる密封面２２８を有する。
【００７２】
図６及び図７に、ヒータ１１０を組み込んだ整髪機器１００を示す。この実施形態では、図１及び図２に関連して既に図示し説明した構成要素は同じ参照番号を有する。この機器１００は、ハンドル２０及び整髪ヘッド１２４を有する。ハンドル２０は、ファンユニット７０の作用を通じて機器に流体が吸い込まれる一方の端部に入口１３０を有し、流体は、ハンドル２０内を流体流路１３６に沿って流れ、ヘッド１２４に入り込む前に任意にヒータ１１０によって加熱される。
【００７３】
ヘッド１２４は、ヘッド１２４に沿って延びる複数の半径方向に離間したスロット１３２を含み、整髪中には、ヘッド１２４に毛髪が巻き付き、その間に高温又は低温の流体が毛髪を通過して乾燥させ、毛髪を整える。
【００７４】
電力は、この例では入口１３０において機器１００に入り込むケーブル５０によって供給される。内部配線（図示せず）がヒータ１１０及びファンユニット７０に電力を供給して、ファンユニット７０のインペラを駆動するモータを作動させる。
【００７５】
機器の様々な温度及び流量を可能にするために、ＰＣＢ１４０が設けられる。ＰＣＢは、ヒータ１１０及びファンユニット７０の両方に電気的に接続され、これらに供給される電力を変化させる。一例として、ユーザは、異なる流量と熱の設定の組み合わせを選択することができる。
【００７６】
次に、特に図８、図９及び図１０を参照して、入口１３０についてさらに詳細に説明する。端壁４１０は、外壁２００の直径を横切って延び、外壁２００から離れて円錐形を形成する。この端壁４１０の円錐面を貫いて、ハンドル２０内への流体入口４４２の一部を形成する開口部４４６が設けられる。この実施形態では、端壁４１０の周囲に延びる３列の開口部４４６が設けられている。
【００７７】
端壁４１０は、内壁４２０も含む。内壁４２０は、端壁４１０を貫く開口部４２２を定め、ここを通じてケーブル５０が延びる。端壁４１０は、ハンドル２０の外壁２００からハンドルの長手方向軸Ｙ−Ｙに向かって延びる。従って、端壁４１０は、非対称的な「Ｖ」字形の断面を有する。この実施形態では、端壁４１０から開口部４２２の周囲にリップ部４２４が延び、ケーブル５０を密封して支持する。
【００７８】
端壁４１０には、複数の用途がある。端壁４１０は、ハンドル２０内への流体入口４４２の一部を形成する。端壁４１０は、交換又は洗浄のためにフィルタを除去し、その後ハンドル２０内に戻せるようにフィルタ１４４へのアクセスを可能にする。端壁４１０は、ケーブル５０がハンドル２０に入り込む開口部４２２をさらに密封し、開口部４２２を通じて流体がハンドル内に引き込まれるのを防ぐ。
【００７９】
端壁４１０は、ねじ山４３２を介して内部構造４５０に取り付けられる。端壁４１０をハンドル２０にはめ込むと、ねじ山４３２が、内部構造４５０の外面上の対応するねじ山４５２と協働する。端壁４２０を回転させると、協働するねじ山４３２、４５２を介して端壁４２０が内部構造４５０に取り付けられる。
【００８０】
端壁４１０は、ハンドル２０の外壁２００に対する上述したような同様の密封構造を有する。端壁２１０は、ハンドル２０の外面の一部を形成して基本的に外壁２００と平行に存在する外壁２１４を含む。この外壁２１４に対し、外壁２００内で延びるように適合されたリップ部２２６を含む外側シート２２４が直交する。このリップ部２２６は、外壁２００の内面２００ａを密封するさらなる密封面２２８を有する。
【００８１】
図１１〜図１３に、本発明による別の入口を示す。ハンドル６０は、断面が長円形である。端壁６１０は、内部構造６５０に対して回転させることによって内部構造６５０に取り付けられる。端壁６１０は、内側円形部品６２０及び外側長円形部品６３０という２つの部品を有する。内側円形部品６２０は内部構造６５０に係合し、この内側円形部品６２０を回転させて端壁６１０を内部構造６５０に取り付ける。内側円形部品６２０は、外側長円形部材６３０に対しても回転する。
【００８２】
端壁６１０は、外壁２００を横切って延び、外壁２００から離れて円錐形を形成する。
【００８３】
端壁６１０は、内壁６２０を含む。内壁６２０は、端壁６１０を貫く開口部６２２を定め、ここを通じてケーブル（図示せず）が延びる。端壁６１０は、ハンドル６０の外壁６００からハンドルの長手方向軸Ｚ−Ｚに向かって延びる。従って、端壁６１０は、非対称的な「Ｖ」字形の断面を有する。この実施形態では、端壁６１０から開口部６２２の周囲にリップ部６２４が延び、ケーブル（図示せず）を密封して支持する。
【００８４】
端壁６１０は、ねじ山６３２を介して内部構造６５０に取り付けられる。端壁６１０をハンドル２０にはめ込むと、ねじ山６３２が、内部構造６５０の外面上の対応するねじ山６５２と協働する。内側円形部品６２０を回転させると、協働するねじ山６３２、６５２を介して端壁６１０が内部構造６５０に取り付けられる。
【００８５】
端壁６１０は、ハンドル６０の外壁６００に対する上述したような同様の密封構造を有する。端壁６１０は、ハンドル６０の外面の一部を形成して基本的に外壁６００と平行に存在する外壁６１６を含む。この外壁６１６に対し、外壁６００内で延びるように適合されたリップ部６２６を含む外側シート６６６が直交する。このリップ部６２６は、外壁６００の内面６００ａを密封するさらなる密封面６２８を有する。
【００８６】
端壁６００をハンドル６０に取り付けるには、外側長円形部品６３０をハンドルに押し付けて、外壁６００内のリップ部６２６に係合させる。外側長円形部品６３０は、外壁６００に係合する２つの配向を有する。外側長円形部品６３０が所定位置に来たら、内側円形部品６２０を回転させる。内側円形部品６２０には、回転を補助するためのグリップ部６３２が設けられる。
【００８７】
この実施形態では、流体入口６７０が、外壁６００内の開口部４２のみによって形成されているが、上述したように外側長円形部品６３０にも開口部を形成することができる。図１〜図１０に関して開示した実施形態では、流体入口の一部を形成する開口部を含まない端壁２１０、４１０を形成することもできる。
【００８８】
図６〜図１３に関して説明した実施形態では、上述したように、端壁２１０、４１０がフィルタユニットの一部を形成することもできる。
【００８９】
内壁２２０、４２０、６２４は、ケーブル５０を導いて支持する。内壁２２０、４２０、６２４は、ケーブル５０を損傷する恐れのある尖った屈曲部又は折返部をケーブル内に生じずに、ケーブル５０が撓んでハンドル２０、６００に対して移動できるようにする。
【００９０】
ヘアドライヤ及び温風整髪機器に関して本発明を詳細に説明したが、本発明は、流体を吸い込んでこの流体を機器から流出させるように導くあらゆる機器に適用可能である。
【００９１】
この機器は、ヒータの有無に関わらず使用することができ、流体の高速流出作用は乾燥効果を有する。
【００９２】
一般に、機器内を流れる流体は空気であるが、異なる気体又は一種類の気体の組み合わせであってもよく、機器の性能、或いは出力が向けられる毛髪などの物体及びそのスタイリングに機器が与える影響を改善する添加物を含むこともできる。
【００９３】
本発明は、上述した詳細な説明に限定されるものではない。当業者には、変形例が明らかであろう。
【符号の説明】
【００９４】
１０  ヘアドライヤ
３０  本体
４４  フィルタユニット
５０  ケーブル
５２  ケーブル張力緩和部
７０  ファンユニット
２００  外壁
２１０  端壁
２２０  内壁
２２２  内壁の遠位端
３００  流体流路
３１０  内側ダクト
４００  一次流体流路
５００  内部構造
５２２  アーム
５２４  アーム
５２６  ワイヤ
５２８  ワイヤ
【図１】
2019055295.tif 000003
【図２】
2019055295.tif 000004
【図３ａ】
2019055295.tif 000005
【図３ｂ】
2019055295.tif 000006
【図４】
2019055295.tif 000007
【図５ａ】
2019055295.tif 000008
【図５ｂ】
2019055295.tif 000009
【図６】
2019055295.tif 000010
【図７】
2019055295.tif 000011
【図８】
2019055295.tif 000012
【図９】
2019055295.tif 000013
【図１０】
2019055295.tif 000014
【図１１】
2019055295.tif 000015
【図１２】
2019055295.tif 000016
【図１３】
2019055295.tif 000017
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
外壁を有するハウジングと、前記外壁内に配置された内部構造と、前記外壁を横切って延びる端壁とを備えた手持型機器であって、前記端壁は、前記内部構造を介して前記ハウジングに取り付けられ、前記端壁は、前記内部構造の対応する溝と係合するように、前記端壁から延びる突起を含む、
ことを特徴とする手持型機器。
【請求項２】
前記ハウジングは長手方向軸を有し、前記外壁は、該長手方向軸に沿って延び、前記溝及び突起の両方は、前記ハウジングの前記長手方向軸に平行に延びる、
請求項１に記載の機器。
【請求項３】
前記端壁は、フィルタユニットの一部を形成し、前記フィルタユニットは、メッシュフィルタと、前記メッシュフィルタの周囲を取り囲むフィルタフレームとを追加的に含む、
請求項２に記載の機器。
【請求項４】
前記端壁は、内部構造の周囲で連続していない、
請求項１から３のいずれかに記載の機器。
【請求項５】
前記内部構造は、前記内部構造からあ半径方向外向きに、前記内部構造から少なくとも一部に沿って延びるリブを有する、
請求項１から４のいずれかに記載の機器。
【請求項６】
前記フィルタフレームは、前記端壁を前記内部構造に取り付けた時に、前記リブのいずれかの側に当接する、
請求項１から５のいずれかに記載の機器。
【請求項７】
前記リブは、前記リブの一部に沿って延びる凹部を含む、
請求項５または６に記載の機器。
【請求項８】
前記端壁は、該端壁を前記内部構造に取り付けるために前記ハンドルの方に押される、請求項１から７のいずれかに記載の機器。
【請求項９】
前記端壁は外縁部を有し、前記端壁を前記内部構造に取り付けた時に、前記外縁部が前記外壁に隣接又は当接する、
請求項１から８のいずれかに記載の機器。
【請求項１０】
前記外縁部は、前記外壁の端面のための嵌合面を形成する、
請求項９に記載の機器。
【請求項１１】
前記端壁の前記外縁部は、前記ハンドルの前記端壁を横切って延び、従って前記端壁が前記外壁に交わった場合、前記ハンドルの外径は前記端壁の外径と実質的に同じである、請求項１から１０のいずれかに記載の機器。
【請求項１２】
前記ハウジングは、ハンドルである、
請求項１から１１のいずれかに記載の機器。
【請求項１３】
前記機器は、ヘアケア機器である、
請求項１から１２に記載の機器。
【請求項１４】
前記ヘアケア機器は、ヘアドライヤである、
請求項１３に記載の機器。
【請求項１５】
前記ヘアケア機器は、温風整髪機器である、
請求項１３に記載の機器。
【手続補正２】
【補正対象書類名】明細書
【補正対象項目名】００９３
【補正方法】変更
【補正の内容】
【００９３】
本発明は、上述した詳細な説明に限定されるものではない。当業者には、変形例が明らかであろう。
本発明は、例えば以下のような態様とすることができる。
（１）前記端壁は、少なくとも部分的に前記端壁の周囲に延びる複数の開口部を含む。
（２）前記端壁は、該端壁を前記内部構造に取り付けるために前記内部構造に対して回転する。
（３）前記端壁は、前記外壁から離れて延びる。
（４）前記端壁は、前記外壁から離れて前記長手方向軸に向かって延びる。
（５）前記端壁は、前記外壁から離れて延びるにつれ、前記外壁から前記長手方向軸に向かって延びる。
（６）前記端壁は、前記外壁から離れて延びるにつれ先細になる。
（７）前記端壁の形状は、截頭円錐形である。
（８）前記端壁は、前記内部構造に係合する第１の部品、及び該第１の部品によって前記外壁に対して保持される第２の部品という２つの部品によって形成される。
（９）前記第１の部品は、前記第２の部品に対して回転自在である。
（１０）前記第１の部品は、前記端壁を前記ハウジングに係合させるように前記内部構造に対して回転自在である。
（１１）前記ハウジングは、長円形断面を有する。
（１２）前記端壁は、第１の取り付け部材を含み、該第１の取り付け部材は、前記端壁から延びて前記内部構造の協働する取り付け部材に係合する。
（１３）前記第１の取り付け部材及び協働する部材の一方は溝を有し、前記端壁を前記機器の前記内部構造に取り付けた時に、前記第１の取り付け部材及び前記協働する部材の他方の協働する突起が前記溝に入り込む。
（１４）前記溝は螺旋形である。
（１５）前記端壁は、該端壁を取り付けた時に前記外壁の内側に延びるリップ部を有する。